(57)【要約】【課題】壁付きのシングルレバー式水栓において、レバーハンドルの操作性を良好とする。【解決手段】縦の取付壁１６に、レバーハンドル２４が前方への突出状態でその主操作部としてのレバー部２６を取付壁１６に沿って縦向きに配向した状態で設けられているシングルレバー式水栓において、レバーハンドル２４のレバー部２６の突き出し側とは反対側の端部を押動操作用の副操作部２８として構成する。またレバーハンドル２４は、閉又は開時に副操作部２８がレバー部２６の先端より前方に突き出し、開又は閉時にはレバー部２６の先端が副操作部２８より前方に突き出すようにする。【選択図】        図５
2004150217.tif 000002
【特許請求の範囲】
【請求項１】
縦の取付壁にレバーハンドルが前方への突出状態で、その主操作部としてのレバー部を取付壁に沿って縦向きに配向した状態で設けられているシングルレバー式水栓において、
前記レバーハンドルの、前記レバー部の突き出し側とは反対側の端部を押動操作用の副操作部として構成したことを特徴とするシングルレバー式水栓。
【請求項２】
請求項１において、前記縦の取付壁には水栓本体が前方への突き出し状態で設けられており、該水栓本体の前部に前記レバーハンドルが設けられていることを特徴とするシングルレバー式水栓。
【請求項３】
請求項１，２の何れかにおいて、前記レバーハンドルは、その前面の形状が前記副操作部及びその近傍部分が前記レバー部の先端側に向うにつれて前記取付壁側に向う面となしてあることを特徴とするシングルレバー式水栓。
【請求項４】
請求項１〜３の何れかにおいて、前記レバーハンドルは、閉又は開時に前記副操作部が前記レバー部の先端より前方に突き出しており、開又は閉時に該レバー部の先端が該副操作部より前方に突き出していることを特徴とするシングルレバー式水栓。
【請求項５】
請求項１〜４の何れかにおいて、前記副操作部の前面には指掛り用の突起が形成してあることを特徴とするシングルレバー式水栓。
【発明の詳細な説明】
【０００１】
【発明の属する技術分野】
この発明はシングルレバー式水栓に関し、詳しくはハンドルの形態に特徴を有するものに関する。
【０００２】
【発明の背景】
従来、吐水口を備えてその吐水口からの吐水を行うシャワーヘッドを、これに接続したシャワーホースとともに引出可能となした水栓が洗髪洗面用水栓，キッチン用水栓等として広く用いられている。
従来これらの水栓は、通常洗面ボウルやシンク等より奥部の水平な取付面から起立する状態で設けられている。
【０００３】
図１２はこの種水栓の従来の一例を示している。
同図において２００は取付基体としてのカウンターで、このカウンター２００に対し、水栓本体２０２と吐水部２０４とが離隔した位置において取付固定されている。
【０００４】
ここで水栓本体及びその上部のレバーハンドル２０８は、カウンター２００から上向きに起立した状態で取り付けられている。
即ちレバーハンドル２０８は、一般の水栓と同様にレバー部がカウンター２００、即ち水平な取付面にほぼ沿って横向きに配向した状態で取り付けられている。
【０００５】
水栓本体２０２には水，湯のサプライ管２０６が接続されており、それらサプライ管２０６を通じて水栓本体２０２に水と湯とが供給される。
【０００６】
水栓本体２０２は、供給された水と湯とをレバーハンドル２０８の操作に基づいて所定比率で混合し、その混合水を流出管２１０を通じて外部に流出する。
この流出管２１０には可撓性のシャワーホース２１２が接続されており、混合水がこのシャワーホース２１２を通じて後述のシャワーヘッド２１４に送られる。
【０００７】
吐水部２０４は、このシャワーヘッド２１４と、これを保持する管状且つ湾曲形状のヘッドホルダ２１６とを有している。
このヘッドホルダ２１６にはスライド管２１８が一体的に昇降する状態で連結されており、このスライド管２１８が、外周面に雄ねじを有するガイド管２２０内にスライド可能に挿通されている。
【０００８】
シャワーヘッド２１４は下面に吐水口２２２を備え、またその前面には吐水口２２２からの吐水を整流吐水からシャワー吐水に若しくはその逆に切り替える切替操作部２２４を備えている。
このシャワーヘッド２１４には、スライド管２１８，ヘッドホルダ２１６内を挿通したシャワーホース２１２の先端部が接続されており、シャワーヘッド２１４がこのシャワーホース２１２とともにヘッドホルダ２１６から引出可能とされている。
【０００９】
ところで、上記とは異なって吐水部，水栓本体，レバーハンドルを縦の取付壁に取り付けることが構想されており、この場合レバーハンドルは、レバー部が取付壁に沿って縦向きに配向した状態で取り付けられることになる。
【００１０】
このようにレバーハンドルが縦の取付壁に取り付けられたものとして、下記特許文献１に開示されたものがある。
このようにレバーハンドルを縦の取付壁に縦向きに配向した状態で取り付けた場合であっても、その操作は通常の水栓のレバーハンドルの操作と同様、使用者がレバー部を手で掴んでこれを回動操作することとなる。
またそのレバーハンドルを開操作又は閉操作を行う際、レバー部を使用者側、即ち手前側に引くことによって操作することとなる。
【００１１】
しかしながらレバーハンドルの操作は、これを引くよりも押す方が操作が楽であり、またレバー部を指で掴んで操作する際、指が汚れたりしているとその汚れがレバー部に付着してしまう問題がある。
また手に石鹸が付いているような場合、レバー部を掴んだときに手が滑ってしまうといった問題もある。
【００１２】
【特許文献１】
特開２００１−２６９２７７号公報
【００１３】
【課題を解決するための手段】
本発明のシングルレバー式水栓はこのような課題を解決するために案出されたものである。
而して請求項１のものは、縦の取付壁にレバーハンドルが前方への突出状態で、その主操作部としてのレバー部を取付壁に沿って縦向きに配向した状態で設けられているシングルレバー式水栓において、前記レバーハンドルの、前記レバー部の突き出し側とは反対側の端部を押動操作用の副操作部として構成したことを特徴とする。
【００１４】
請求項２のものは、請求項１において、前記縦の取付壁には水栓本体が前方への突き出し状態で設けられており、該水栓本体の前部に前記レバーハンドルが設けられていることを特徴とする。
【００１５】
請求項３のものは、請求項１，２の何れかにおいて、前記レバーハンドルは、その前面の形状が前記副操作部及びその近傍部分が前記レバー部の先端側に向うにつれて前記取付壁側に向う面となしてあることを特徴とする。
【００１６】
請求項４のものは、請求項１〜３の何れかにおいて、前記レバーハンドルは、閉又は開時に前記副操作部が前記レバー部の先端より前方に突き出しており、開又は閉時に該レバー部の先端が該副操作部より前方に突き出していることを特徴とする。
【００１７】
請求項５のものは、請求項１〜４の何れかにおいて、前記副操作部の前面には指掛り用の突起が形成してあることを特徴とする。
【００１８】
【作用及び発明の効果】
上記のように請求項１のものは、レバーハンドルにおけるレバー部の突き出し側とは反対側の端部を押動操作用の副操作部として構成したものである。
かかる本発明のシングルレバー式水栓にあっては、主操作部としてのレバー部に対する押動操作と、副操作部に対する押動操作とを行うことで、吐水，止水、更には水量調節の各操作を行うことができる。
即ちレバー部を手で掴んで引張り操作することなく、単にレバーハンドルを押動操作するだけでそれらの操作を行うことができる。
【００１９】
レバー部を手に掴んで引く操作は、手を一旦前方に突き出した後、レバー部を掴んで手前に戻す操作、つまり２アクションの操作であり、これに比べて押動操作は単に手ないし指を前方に押すだけの１アクションで操作をすることができ、従ってハンドル操作を従前に増して簡単に行うことができるようになる。
【００２０】
また吐止水及び水量調節に際してレバー部を手で掴むことなくその操作が可能であることから、レバー部を掴む手が汚れていてその汚れがレバー部に付着してしまったり、或いは石鹸が手に付いていてレバー部を掴む際に手が滑ってしまうといった不都合を改善することができる。
【００２１】
本発明においては、縦の取付壁に水栓本体を前方への突き出し状態で設け、そしてその水栓本体の更に前部にレバーハンドルを設けておくことができる（請求項２）。
【００２２】
本発明においては、レバーハンドルの前面の形状を、副操作部及びその近傍部分がレバー部の先端側に向うにつれて取付壁側に向う面となしておくことができる（請求項３）。
このようになしておくことで副操作部を押動操作する際、より操作し易くなる。
【００２３】
この場合においてその副操作部及びその近傍部分の前面の形状を含むレバーハンドル全体の前面形状を取付壁側に凹曲する凹曲面となしておくことができる。
【００２４】
本発明においては、閉又は開時に副操作部がレバー部の先端より前方に突き出し、開又は閉時にレバー部の先端が副操作部より前方に突き出すようにレバーハンドルを設けておくことができる（請求項４）。
このようにしておくことで、レバー部を押動操作する際も、また副操作部を押動操作する際にもその操作性が良好となる。
【００２５】
次に請求項５のものは、副操作部の前面に指掛り用の突起を形成したもので、このようになしておくことで副操作部を操作する際の操作性が更に良好となる。
【００２６】
【実施例】
次に本発明を、洗面化粧台に設置される洗髪洗面用水栓に適用した場合の実施例を図面に基づいて詳しく説明する。
図１及び図２において、１０は洗面化粧台で洗面器１２とその下側のキャビネット１４と、洗面器１２の後部において垂直に立ち上がる取付壁１６とを有している。
ここで洗面器１２と取付壁１６とは樹脂製で、取付壁１６はこの洗面器１２に一体に成形されている。
そしてその取付壁１６の前面の垂直な壁面を取付面として、本例の水栓１８が取り付けられている。
【００２７】
本例の水栓１８はシングルレバー式水栓であって、図３に示しているように左右に離隔して取付壁１６に取り付けられた水栓本体２０と、吐水管状の吐水部２２とを有している。
水栓本体２０は取付壁１６の前面の壁面からほぼ水平に前方に突き出しており、その前部にレバーハンドル２４が設けられている。
【００２８】
本例では、図５に明らかに示しているようにレバーハンドル２４が取付壁１６に沿って縦向きに配向した状態で、且つレバー部２６が下向きに突き出す状態で設けられている。
【００２９】
レバーハンドル２４は、下向きに垂下する主操作部としてのレバー部２６を有しており、またその上部には副操作部２８が設けられている。
この水栓１８では、レバーハンドル２４を使用者から見て左右に回動操作することで吐水の温度調節が行われ、またレバーハンドル２４を前後回動操作することで吐止水及び吐水の水量調節が行われる。
【００３０】
詳しくは、この例ではレバー部２６を使用者側の前方に引くことで吐水が開始され或いは吐水の水量が増大する。また逆にレバー部２６を後方に押す（押動操作する）ことで水量の減少及び止水が行われる。
本例のレバーハンドル２４の場合、その上部に副操作部２８が設けられていて、この副操作部２８を押動操作することによっても吐水開始操作或いは水量増大操作を行い得るようになっている。
ここで副操作部２８には指掛り用の複数の突起３０が設けられている。
【００３１】
この指掛り用の突起３０は滑止めとしての働きを有する。
本例では、図５に明らかに示しているようにレバーハンドル２４の前面形状が、副操作部２８からレバー部２６の先端にかけて取付壁１６側に凹曲した形状をなしている。
またレバーハンドル２４は、図５中実線で示す閉時において副操作部２８がレバー部２６の先端より前方に突き出した状態となり、また図中２点鎖線で示す開時において、詳しくは一定以上の水量で吐水を行っているときにおいて、レバー部２６の先端が副操作部２８よりも前方に突き出した状態となる。
【００３２】
一方、上記吐水管状の吐水部２２は図３に示すように前後方向の略中間位置で前後に２分割されており、先端側が下面に吐水口３２を有するシャワーヘッド３４として、また基端側がこれを保持するヘッドホルダ３６として構成されている。
【００３３】
図６に示しているように、シャワーヘッド３４はヘッド本体３８と、ヘッドカバー４０とを有しており、それらを組み付けて構成してある。
一方基端側のヘッドホルダ３６は筒状をなしており、そこに可撓性のホース４２が挿通されている。
【００３４】
ホース４２は、このヘッドホルダ３６先端部の筒状のホースガイド４４を更に挿通して、その先端部がシャワーヘッド３４、詳しくはヘッドカバー４０内部のヘッド本体３８に接続されている。
シャワーヘッド３４は、このホース４２の可撓性に基づいてヘッドホルダ３６からホース４２とともに引出可能とされている。
【００３５】
図１に示しているように、取付壁１６の裏側には水，湯のサプライ管４６が配管されていて、それらの上端部が水栓本体２０に接続され、水，湯がそれらサプライ管４６を通じて水栓本体２０へと供給されるようになっている。
【００３６】
水栓本体２０に供給された水，湯はそこで所定比率に混合され、その混合水が取付壁１６裏側の流出管４８を通じて流出する。
そしてその流出管４８に接続された可撓性のホース４２を通じて上記の吐水部２２、詳しくは先端側のシャワーヘッド３４へと導かれる。
【００３７】
図６に示しているように、ヘッド本体３８は先端に吐水口用の開口５０を、またこの吐水口用の開口５０に続いて内部水路５２を有しており、シャワーホース４２を通じて送られて来た水（混合水，湯を含む）が、この内部水路５２を通じて吐水口用の開口５０に導かれ、更に吐水口３２から下向きに吐水される。
【００３８】
一方ヘッドカバー４０は、前端壁５３を有する筒状形態で形成されている。
詳しくはこのヘッドカバー４０は前端が閉鎖、後端が開放形状の筒形状をなしており、その後端の開放部からヘッド本体３８が内部に挿入されて組み付けられている。
【００３９】
ヘッドカバー４０の先端部下面には吐水口形成用の開口５４が形成されており、その吐水口形成用の開口５４において筒状の吐水口部材５６が装着されている。
ここで吐水口部材５６は、ヘッド本体３８に設けられた雌ねじ筒５８に止ビス６０をねじ込むことによって、開口５４内に嵌り込む状態でヘッド本体３８に固定されている。
【００４０】
この吐水口部材５６の下面にはシャワー孔６２が中心回りに多重円をなすように配置されており、シャワーホース４２を通じて送られて来た水が、これらシャワー孔６２から下方にシャワー水として噴射されるようになっている。
【００４１】
図７〜図１０に、シャワーヘッド３４におけるヘッド本体３８とヘッドカバー４０との組付構造が詳しく示してある。
図８（Ａ）に示しているように、ヘッドカバー４０の上部内面には一対の溝形成板６６が下向きに突き出す状態で前後方向に平行に設けられており、それら溝形成板６６によって、内側に前後方向に延びるガイド溝６８が形成されている。
【００４２】
一方ヘッド本体３８には、ガイド溝６８に対応する位置において前後方向に延びる板状のガイド突条７０が上向きに突出する状態で設けられている。
ヘッド本体３８は、ヘッドカバー４０への挿入時にこの突条７０がガイド溝６８内に嵌入し且つ前後に摺動することによって、ヘッドカバー４０への挿入時の挿入案内がなされる。
【００４３】
図７に示しているように、ヘッドカバー４０の下部には掛止突起７２が上向きに突出形成されている。
一方ヘッド本体３８の対応する位置には、ヘッド本体３８の挿入時にこの掛止突起７２を弾性的に乗り越えた上で、その掛止突起７２に対し抜止方向に掛止する弾性を有する掛止爪７４が形成されており、それら掛止突起７２と掛止爪７４との掛止作用に基づいて、ヘッドカバー４０に挿入されたヘッド本体３８が、ヘッドカバー４０から抜止めされるようになっている。
【００４４】
このヘッド本体３８にはまた、その前端部に押圧ばね片７６が一体に成形されており、ヘッド本体３８の挿入完了状態で、この押圧ばね片７６がヘッドカバー４０の前端壁５３に当接して弾性変形し、ヘッド本体３８を図中右向き、即ちヘッド本体３０の挿入方向とは反対の後退方向に付勢している。
即ちここでは前端壁５３が、押圧ばね片７６を当接させる当接部となっている。
【００４５】
そしてその付勢力によって掛止突起７２と掛止爪７４とが強固な掛止状態に保持され、これによりヘッド本体３８が図７中前後方向にがたつきなくしっかりと保持されている。
【００４６】
ヘッド本体３８にはまた、ヘッドカバー４０内においてヘッド本体３８の姿勢を予め定めた姿勢に規制するための多数の姿勢規制用の突起が設けられている。
即ち、ヘッド本体３８における前部の大径部７８の縁部には下向きの突起８０と両側面に左右一対の突起８３（図８（Ａ）参照）が、また挿入案内用の突条７０に前後一対の突起８２が、また図７，図９，図１０に示すように基端側のフランジ部８４の外周部に沿って複数の突起８６がそれぞれ形成されており、各突起８０，８２，８３，８６が、それぞれヘッドカバー４０の内面にそれぞれ当接するようになっている。即ちここではヘッドカバー４０の内面の各部が、それら突起を当接させる被当接部として構成されている。
【００４７】
そして本例では、これら突起８０，８２，８３，８６のヘッドカバー４０内面への当接作用によって、更には各突起８０，８２，８３，８６が永久変形することによって、ヘッドカバー４０内部に挿入されたヘッド本体３８の姿勢が予め定めた正しい姿勢に拘束保持される。
【００４８】
尚、図７に示しているように上記掛止突起７２及び掛止爪７４は、ヘッドカバー４０における開口５４の近傍に配置されており、ヘッドカバー４０に組み付けられたヘッド本体３８を、ヘッドカバー４０から取り出す際には、その開口５４からドライバ等の工具を差し込んで、弾性を有する掛止爪７４を上向きに押し上げ、掛止突起７２に対する掛止を解除することで、ヘッド本体３８をヘッドカバー４０から容易に抜き出すことができる。
【００４９】
本例の吐水ヘッドの場合、ヘッドカバー４０に対しヘッド本体３８をその後端の開放部から前方に押し込んで挿入するだけで、簡単にヘッド本体３８をヘッドカバー４０に組み付けることができる。
【００５０】
即ち図１１に示しているようにヘッド本体３８をヘッドカバー４０の後端の開放部から挿入すると、あるところでヘッド本体３８の掛止爪７４が、ヘッドカバー４０の掛止突起７２を弾性的に乗り越え、そして乗り越えた先で掛止爪７４が掛止突起７２に掛止した状態となって、ヘッド本体３８がヘッドカバー４０から後退方向に抜止めされる。
【００５１】
尚このとき、図７に示しているようにヘッド本体３８の前端部の押圧ばね片７６が、ヘッドカバー４０の前端壁５３に当接して弾性変形し、弾発力を貯えた状態となる。
そしてその弾発力によって、ヘッド本体３８が図７中右向きに付勢され、その付勢力によって掛止爪７４と掛止突起７２とが強固に掛止した状態となる。
【００５２】
更にこのとき、ヘッド本体３８に設けた多数の突起８０，８２，８３，８６が、ヘッドカバー４０の内面に当接した状態となって、それら突起の作用によりヘッド本体３８が正しい組付姿勢に姿勢規制される。
【００５３】
このように本例のシングルレバー式水栓１８によれば、主操作部としてのレバー部２６に対する押動操作と、副操作部２８に対する押動操作とを行うことで、吐水，止水、更には水量調節の操作を行うことができる。
即ちレバー部２６を手で掴んで引張り操作することなく、単にレバーハンドル２４を押動操作するだけでそれらの操作を行うことができる。
従ってハンドル操作を従前に増して簡単に行うことができるようになる。
【００５４】
また吐止水及び水量調節に際して、レバー部２６を手で掴むことなくその操作が可能であることから、レバー部２６を掴む手が汚れていてその汚れがレバー部２６に付いてしまったり、或いは石鹸が手に付いていたりしてレバー部２６を掴む際に手が滑ってしまうといった不都合を改善することができる。
【００５５】
また本例ではレバーハンドル２４の前面全体の形状が取付壁１６側に凹曲する凹曲面となしてあるため、副操作部２８を押動操作する際、より操作し易くなる。
【００５６】
特に本例では、閉時において副操作部２８がレバー部２６の先端より前方に突き出し、また一方開時においてはレバー部２６の先端が副操作部２８より前方に突き出すようにレバーハンドル２４が設けられてあるため、レバー部２６を押動操作する際にも、また副操作部２８を押動操作する際にもその操作性が良好となる。
また更に副操作部２８の前面に指掛り用の突起３０を形成しているため、副操作部２８を操作する際の操作性が更に良好となる。
【００５７】
以上本発明の実施例を詳述したがこれはあくまで一例示である。
例えば本発明は吐水口からの吐水をシャワー水ではなく１本の整流束として吐水する吐水ヘッド或いはシャワー吐水と整流吐水とを切替可能な吐水ヘッドを有する水栓に適用することも可能であるし、また上例のような洗面化粧台に備えられる水栓以外にキッチン用水栓その他の水栓への適用も可能であるなど、本発明はその趣旨を逸脱しない範囲において種々変更を加えた形態で構成可能である。
【図面の簡単な説明】
【図１】本発明の一実施例である水栓を洗面化粧台に取り付けた状態でこれを裏側から示す図である。
【図２】図１の洗面化粧台の要部断面図である。
【図３】同実施例の水栓を取付状態において正面から見た図である。
【図４】図３の水栓の一作用状態を示す図である。
【図５】図３の水栓本体をハンドルとともに示す図である。
【図６】図３の吐水部の縦断面図である。
【図７】同実施例における吐水ヘッドの縦断面図である。
【図８】（Ａ）：同実施例における吐水ヘッドの横断面図である。
（Ｂ）：（Ａ）とは異なった位置の横断面図である。
【図９】同実施例における吐水ヘッドのヘッド本体の斜視図である。
【図１０】同実施例における吐水ヘッドのヘッド本体の平面図及び正面図である。
【図１１】同実施例における吐水ヘッドの組付方法の説明図である。
【図１２】従来の水栓をカウンターに取り付けた状態の図である。
【符号の説明】
１６  取付壁
１８  （シングルレバー式）水栓
２４  レバーハンドル
２６  レバー部
２８  副操作部
３０  突起
【図１】
2004150217.tif 000003
【図２】
2004150217.tif 000004
【図３】
2004150217.tif 000005
【図４】
2004150217.tif 000006
【図５】
2004150217.tif 000007
【図６】
2004150217.tif 000008
【図７】
2004150217.tif 000009
【図８】
2004150217.tif 000010
【図９】
2004150217.tif 000011
【図１０】
2004150217.tif 000012
【図１１】
2004150217.tif 000013
【図１２】
2004150217.tif 000014